(57)【要約】      （修正有）【課題】視覚障害のあるユーザであっても、事前に操作子に関する機能や状態を把握することが可能となる電子機器およびその制御方法を実現するためのプログラムを提供する。【解決手段】ユーザが、自分の指２００に装着した指アタッチメント２０を、音色選択スイッチ２ａ〜２ｅのうちのいずれかに近づけると、そのスイッチ近傍のアンテナは、指アタッチメント２０に取り付けられたＲＦタグ２１から、その中に書き込まれたユーザＩＤを情報として含む電磁波を受信し、これを電気信号に変換してＲＦＩＤリーダ６に供給する。このユーザＩＤと選択中の通知モードに応じて、（１）情報の種類、（２）言語、（３）音質および（４）表現の各項目の内容が選択され、（１）〜（４）の各項目に選択された内容と、取得されたアンテナ番号と、このアンテナ番号で示される音色選択スイッチの現在の操作状態とに従って音声ガイドデータが、サウンドシステムから発生する。【選択図】図２
2007256503.tif 000002
【特許請求の範囲】
【請求項１】
少なくとも１つの操作子と、
該操作子の近傍に設けられたＲＦＩＤリーダ用アンテナを含むＲＦＩＤ読み取り手段と、
操作者が、前記操作子を操作する人体の所定の部位に取り付けられたＲＦタグを前記操作子に近づかせ、前記ＲＦＩＤ読み取り手段が、当該ＲＦタグに記憶されたＩＤを読み取ったときに、該読み取られたＩＤに応じて、前記操作子の機能または前記操作子に対する状態を音声により前記操作者に通知する通知手段と
を有することを特徴とする電子機器。
【請求項２】
前記通知手段は、前記読み取られたＩＤ毎に、異なる種類の音声によって通知することを特徴とする請求項１に記載の電子機器。
【請求項３】
複数のモードのいずれかを選択する選択手段をさらに有し、
前記通知手段は、前記選択手段によって選択されたモード毎に、異なる種類の音声によって通知することを特徴とする請求項１または２に記載の電子機器。
【請求項４】
複数の操作子と、
前記複数の操作子のそれぞれに設けられた複数のＲＦＩＤリーダ用アンテナと、
該複数のＲＦＩＤリーダ用アンテナのそれぞれを時分割で走査することにより、ＲＦタグが近づいた操作子および該ＲＦタグに記憶されたＩＤを読み取る、１つのＲＦＩＤリーダと
を有することを特徴とする電子機器。
【請求項５】
少なくとも１つの操作子の近傍に設けられたＲＦＩＤリーダ用アンテナを含むＲＦＩＤ読み取り手段に対して、前記操作子に近づいたＲＦタグに記憶されたＩＤを読み取らせる読み取りモジュールと、
操作者が、前記操作子を操作する人体の所定の部位に取り付けられたＲＦタグを前記操作子に近づかせ、前記ＲＦＩＤ読み取り手段が、当該ＲＦタグに記憶されたＩＤを読み取ったときに、該読み取られたＩＤに応じて、前記操作子の機能または前記操作子に対する状態を音声により前記操作者に通知する通知モジュールと
をコンピュータに実行させるためのプログラム。
【請求項６】
１つのＲＦＩＤリーダに対して、複数の操作子のそれぞれに設けられた複数のＲＦＩＤリーダ用アンテナのそれぞれを時分割で走査させることにより、ＲＦタグが近づいた操作子および該ＲＦタグに記憶されたＩＤを読み取る読み取りモジュールをコンピュータに実行させるためのプログラム。
【発明の詳細な説明】
【技術分野】
【０００１】
本発明は、多数の操作子を備えた電子機器およびその制御方法を実現するためのプログラムに関する。
【背景技術】
【０００２】
多数の操作子を備えた電子機器は、従来から一般的に知られている。
【０００３】
このような電子機器として、多数の音色選択スイッチを備えた電子楽器がある（たとえば、特許文献１参照）。この従来の電子楽器では、ユーザが、ある音色選択スイッチを操作して、ある音色を選択すると、選択された音色の楽音を発生できる状態になる。つまり、選択された音色に対応する音色選択スイッチが「有効」な状態となり、他の音色選択スイッチは「無効」な状態となる。
【０００４】
また、従来の電子楽器では、１つの操作子に多くの機能を割り当てることにより、多くの機能を１つの操作子で共有できるように構成することも、一般的に行われている。たとえば、インクリメント／デクリメントスイッチには、テンポ設定モードが選択された場合には、自動演奏のテンポを増加／減少させる機能が割り当てられ、音量設定モードが選択された場合には、音量を増加／減少させる機能が割り当てられる。
【０００５】
さらに、多数の操作子を備えた電子機器では、通常、各操作子にどのような機能が割り当てられているか分かるように、各操作子の近傍に、割り当てられている機能の名称が表示（印刷）されることが多い。そして、ユーザが操作子を操作することで、電子機器の動作状態が変化する場合には、その状態がディスプレイに表示されることが多い。このように、操作子に関する機能や状態は、ユーザの視覚に訴えるようにしている。
【特許文献１】特開２００５−４０８２号公報
【発明の開示】
【発明が解決しようとする課題】
【０００６】
しかし、上記従来の電子機器では、操作子に関する機能や状態を視覚的に表示するため、視覚障害のあるユーザにとっては、操作子に関する機能や状態を、操作子を操作する前に把握するのが困難であった。このようなユーザであっても、操作子を操作した後であれば、その操作子に関する機能や状態を把握することができることもあるが、操作子を操作した後では、電子機器の状態も変化してしまい（たとえば、上記従来の電子楽器では、音色やテンポなどが変化してしまう）、ユーザが電子機器の状態の変化を望んでいない場合には、大変都合が悪い。
【０００７】
本発明は、この点に着目してなされたものであり、視覚障害のあるユーザであっても、事前に操作子に関する機能や状態を把握することが可能となる電子機器およびその制御方法を実現するためのプログラムを提供することを目的とする。
【課題を解決するための手段】
【０００８】
上記目的を達成するため、請求項１に記載の電子機器は、少なくとも１つの操作子と、該操作子の近傍に設けられたＲＦＩＤリーダ用アンテナを含むＲＦＩＤ読み取り手段と、操作者が、前記操作子を操作する人体の所定の部位に取り付けられたＲＦタグを前記操作子に近づかせ、前記ＲＦＩＤ読み取り手段が、当該ＲＦタグに記憶されたＩＤを読み取ったときに、該読み取られたＩＤに応じて、前記操作子の機能または前記操作子に対する状態を音声により前記操作者に通知する通知手段とを有することを特徴とする。
【０００９】
好ましくは、前記通知手段は、前記読み取られたＩＤ毎に、異なる種類の音声によって通知することを特徴とする。
【００１０】
また好ましくは、複数のモードのいずれかを選択する選択手段をさらに有し、前記通知手段は、前記選択手段によって選択されたモード毎に、異なる種類の音声によって通知することを特徴とする。
【００１１】
上記目的を達成するため、請求項４に記載の電子機器は、複数の操作子と、前記複数の操作子のそれぞれに設けられた複数のＲＦＩＤリーダ用アンテナと、該複数のＲＦＩＤリーダ用アンテナのそれぞれを時分割で走査することにより、ＲＦタグが近づいた操作子および該ＲＦタグに記憶されたＩＤを読み取る、１つのＲＦＩＤリーダとを有することを特徴とする。
【００１２】
上記目的を達成するため、請求項５に記載のプログラムは、請求項１と同様の技術的思想によって実現できる。
【００１３】
上記目的を達成するため、請求項６に記載のプログラムは、請求項４と同様の技術的思想によって実現できる。
【発明の効果】
【００１４】
請求項１または５に記載の発明によれば、操作者が、操作子を操作する人体の所定の部位に取り付けられたＲＦタグを操作子に近づかせ、ＲＦＩＤ読み取り手段が、当該ＲＦタグに記憶されたＩＤを読み取ったときに、該読み取られたＩＤに応じて、前記操作子の機能または前記操作子に対する状態が音声により操作者に通知されるので、視覚障害のあるユーザであっても、事前に操作子に関する機能や状態を把握することができる。そして、操作子を確認するときに、ユーザは操作子を実際に操作していないので、望まない電子機器の状態変化も起こらない。
【００１５】
請求項２に記載の発明によれば、前記操作子の機能または前記操作子に対する状態が、前記読み取られたＩＤ毎に、異なる種類の音声によって通知されるので、ＩＤ毎に、たとえば、音質、言語および通知内容のうち、少なくとも１つを変えることができる。
【００１６】
請求項３に記載の発明によれば、前記操作子の機能または前記操作子に対する状態が、選択されたモード毎に、異なる種類の音声によって通知されるので、モード毎に、たとえば、音質、言語および通知内容のうち、少なくとも１つを変えることができる。
【００１７】
請求項４または６に記載の発明によれば、１つのＲＦＩＤリーダが、複数の操作子のそれぞれに設けられた複数のＲＦＩＤリーダ用アンテナのそれぞれを時分割で走査することにより、ＲＦタグが近づいた操作子および該ＲＦタグに記憶されたＩＤが読み取られるので、１つのＲＦＩＤリーダで、複数の操作子のそれぞれに対応した位置でのＲＦタグを検出することができ、これにより、電子機器の構成を簡略化することができる。
【発明を実施するための最良の形態】
【００１８】
以下、本発明の実施の形態を図面に基づいて詳細に説明する。
【００１９】
図１は、本発明の一実施の形態に係る電子機器を適用した電子楽器の概略構成を示すブロック図である。
【００２０】
同図に示すように、本実施の形態の電子楽器は、音高情報を入力するための鍵盤を含む演奏操作子１と、各種情報を入力するための複数のスイッチやホイール、ジョイスティックを含む設定操作子２と、設定操作子２に含まれる、少なくとも一部の操作子（本実施の形態では、５つの音色選択スイッチ）の近傍にそれぞれ設けられた複数のＲＦＩＤ（Radio Frequency Identification）アンテナからなるＲＦＩＤアンテナ群３と、演奏操作子１の操作状態を検出する検出回路４と、設定操作子２の操作状態を検出する検出回路５と、ＲＦタグの記憶内容（ＩＤ）を、ＲＦＩＤアンテナ群３を介して読み取るＲＦＩＤリーダ６と、装置全体の制御を司るＣＰＵ７と、該ＣＰＵ７が実行する制御プログラムや、各種テーブルデータ等を記憶するＲＯＭ８と、楽曲データ、各種入力情報および演算結果等を一時的に記憶するＲＡＭ９と、タイマ割込み処理における割込み時間や各種時間を計時するタイマ１０と、各種情報等を表示する、たとえば液晶ディスプレイ（ＬＣＤ）および発光ダイオード（ＬＥＤ）等を備えた表示装置１１と、前記制御プログラムを含む各種アプリケーションプログラムや各種楽曲データ、各種データ等を記憶する外部記憶装置１２と、外部からのＭＩＤＩメッセージを入力したり、ＭＩＤＩメッセージを外部に出力したりするＭＩＤＩインターフェース（Ｉ／Ｆ）１３と、通信ネットワーク１０１を介して、たとえばサーバコンピュータ（以下、「サーバ」と略して言う）１０２とデータの送受信を行う通信インターフェース（Ｉ／Ｆ）１４と、演奏操作子１から入力された演奏データや予め設定された楽曲データ等をオーディオ信号に変換する音源回路１５と、該音源回路１５からのオーディオ信号に各種効果を付与するための効果回路１６と、該効果回路１６からのオーディオ信号を音響に変換する、たとえば、ＤＡＣ（Digital-to-Analog Converter）やアンプ、スピーカ等のサウンドシステム１７とにより構成されている。
【００２１】
上記構成要素４〜１６は、バス１８を介して相互に接続され、ＣＰＵ７にはタイマ１０が接続され、ＭＩＤＩＩ／Ｆ１３には他のＭＩＤＩ機器１００が接続され、通信Ｉ／Ｆ１４には通信ネットワーク１０１が接続され、音源回路１５には効果回路１６が接続され、効果回路１６にはサウンドシステム１７が接続されている。ここで、通信Ｉ／Ｆ１４および通信ネットワーク１０１は、有線方式のものに限らず、無線方式のものであってもよい。また、両方式のものを備えていてもよい。
【００２２】
外部記憶装置１２としては、たとえば、フレキシブルディスクドライブ（ＦＤＤ）、ハードディスクドライブ（ＨＤＤ）、ＣＤ−ＲＯＭドライブおよび光磁気ディスク（ＭＯ）ドライブ等を挙げることができる。そして、外部記憶装置１２には、前述のように、ＣＰＵ７が実行する制御プログラムも記憶でき、ＲＯＭ８に制御プログラムが記憶されていない場合には、この外部記憶装置１２に制御プログラムを記憶させておき、それをＲＡＭ９に読み込むことにより、ＲＯＭ８に制御プログラムを記憶している場合と同様の動作をＣＰＵ７にさせることができる。このようにすると、制御プログラムの追加やバージョンアップ等が容易に行える。
【００２３】
図２は、前記設定操作子２に含まれる音色選択スイッチ周辺の様子を示す図であり、同図（ａ）は、音色選択スイッチ周辺の平面図であり、同図（ｂ）は、音色選択スイッチ周辺の断面図であり、同図（ｃ）は、音色選択スイッチ周辺の基板の平面図である。
【００２４】
図２（ａ）に示すように、本実施の形態の電子楽器は、５種類の音色選択スイッチ２ａ〜２ｅを備え、各音色選択スイッチ２ａ〜２ｅの近傍には、それぞれＬＥＤ１１ａ〜１１ｅが設けられている。各ＬＥＤ１１ａ〜１１ｅは、対応する音色選択スイッチ２ａ〜２ｅの操作状態を示している。図示例では、ギター音色選択スイッチ２ｃに対応するＬＥＤ１１ｃが点灯しているので、ユーザ（操作者）は、本実施の形態の電子楽器の現在の動作状態として、ギター音色選択スイッチ２ｃがオン状態であり、ギター音色が選択されていることを知ることができる。
【００２５】
図２（ｂ），（ｃ）に示すように、音色選択スイッチ２ａ〜２ｅを設置するための基板３１上には、各音色選択スイッチ２ａ〜２ｅをそれぞれ囲む複数のアンテナからなるＲＦＩＤアンテナ群３が設けられている。そして、ＲＦＩＤアンテナ群３を構成する複数のアンテナのそれぞれは、ＲＦＩＤリーダ６に接続されている。
【００２６】
また、図２（ｂ）には、ＲＦタグ２１をユーザの指２００に取り付けるための指アタッチメント２０も記載されている。
【００２７】
以上のように構成された電子楽器が実行する制御処理を、まず図２を参照してその概要を説明し、次に図３を参照して詳細に説明する。
【００２８】
ＲＦＩＤリーダ６は、ＲＦＩＤアンテナ群３を構成する各アンテナに、時分割で、所定時間、所定周波数の信号を順次供給して行くことにより、各アンテナから、所定時間、制御信号を含む電磁波を発生させる。ユーザが、自分の指２００に装着した指アタッチメント２０を、音色選択スイッチ２ａ〜２ｅのうちのいずれかに近づけると、そのスイッチ近傍のアンテナから発生した電磁波を、指アタッチメント２０に取り付けられたＲＦタグ２１のアンテナ（図示せず）が受信し、アンテナの共振作用（電磁誘導など）によって、そのＲＦタグ２１のアンテナに起電力が発生し、発生した電力により、ＲＦタグ２１内の回路が起動され、その回路により、所定の処理がなされる。ここで、回路による所定の処理には、たとえば、ＲＦタグ内に書き込まれたＩＤ（ユーザＩＤ）を読み出し、読み出したユーザＩＤを変調した搬送波に乗せて、ＲＦタグ２１のアンテナから送信する処理が含まれる。このようにして、ＲＦタグ２１のアンテナから、ユーザＩＤの乗った電磁波が発生すると、指アタッチメント２０の最も近くにあるアンテナ（ＲＦＩＤアンテナ群３のうちのいずれか）が、この電磁波を受信し、これを電気信号に変換してＲＦＩＤリーダ６に供給する。ＲＦＩＤリーダ６は、供給された電気信号をデコードし、そのデコード結果である、ユーザＩＤを、前記ＲＡＭ９の所定位置に確保されたＩＤ格納領域（図示せず）に格納する。また、ＲＦＩＤリーダ６は、デコードして得られたユーザＩＤが、ＲＦＩＤアンテナ群３のうちのいずれのアンテナを走査した（つまり、前記所定周波数の信号を供給した）ときに得られたものであるのかが分かるので、そのアンテナに付与されたアンテナ番号は簡単に検出され、このアンテナ番号も、得られたユーザＩＤと一緒に、前記ＩＤ格納領域に格納しておく。なお、アンテナは、前述のように、音色選択スイッチ毎に１つ設けられるので、アンテナ番号を検出することは、ユーザが指アタッチメント２０を近づけた音色選択スイッチを検出することを意味する。
【００２９】
前記ＣＰＵ７は、まず、ＩＤ格納領域に格納されたユーザＩＤと、複数の通知モードのうち、選択中の通知モードとに応じて、（１）情報の種類、（２）言語、（３）音質および（４）表現の各項目の内容を選択する。次に、ＣＰＵ７は、（１）〜（４）の各項目に選択された内容と、ＩＤ格納領域に格納されたアンテナ番号と、このアンテナ番号で示される音色選択スイッチの現在の操作状態とに従って一意的に決定される音声ガイドデータを、前記外部記憶装置１２に構築された音声ガイドデータベース（図示せず）から検索して読み出し、読み出した音声ガイドデータを、前記音源回路１５または図示しないオーディオデコーダ回路によって音声信号に変換し、変換した音声信号に対応する音声を、前記サウンドシステム１７から発生させる。
【００３０】
このようにして、ユーザは、音色選択スイッチ２ａ〜２ｅのうちのいずれかに、指アタッチメント２０を近づけるだけで、近づけた音色選択スイッチに関する音声ガイドが発音されるので、視覚障害のあるユーザであっても、事前に音色選択スイッチに関する機能や状態を把握することができる。
【００３１】
次に、この制御処理を詳細に説明する。
【００３２】
図３は、本実施の形態の電子楽器が実行する制御処理を説明するためのブロック図である。
【００３３】
ＲＦＩＤリーダ６は、前述のように、ＲＦＩＤアンテナ群３を構成する各アンテナに対して、時分割で走査を行う（ブロックＢ１）。これに応じて、ＲＦＩＤアンテナ群３のうちのいずれかが、ＲＦタグ２１からの電磁波を受信すると、そのアンテナは、受信した電磁波を電気信号に変換して、ＲＦＩＤリーダ６に送信する。ＲＦＩＤリーダ６は、アンテナから送信されてきた信号を解析し、その信号に含まれるユーザＩＤを取得し、前記ＩＤ格納領域に格納する（ブロックＢ２）。また、ＲＦＩＤリーダ６は、前述のように、ユーザＩＤを取得したアンテナのアンテナ番号を、取得したユーザＩＤに対応付けて、ＩＤ格納領域に格納する（ブロックＢ１）。
【００３４】
このようなアンテナ走査処理およびＲＦＩＤ読み取り処理とは独立して、前記検出回路５は、前記音色選択スイッチ２ａ〜２ｅの操作状態を検出するために、スイッチ走査を行う（ブロックＢ５）。なお、検出回路５のスイッチ走査は、実際には、設定操作子２に含まれる、音色選択スイッチ２ａ〜２ｅ以外の操作子に対してもなされるが、本実施の形態では、設定操作子２中、音色選択スイッチ２ａ〜２ｅを例に挙げて、本発明を説明しているので、音色選択スイッチ２ａ〜２ｅに対するスイッチ走査だけが図示されている。
【００３５】
検出回路５は、音色選択スイッチ２ａ〜２ｅのうち、操作状態の変化したスイッチを検出し、そのスイッチに付与されているスイッチ番号を、前記ＲＡＭ９の所定位置に確保されたスイッチバッファ（図示せず）に格納する（ブロックＢ５）。
【００３６】
ＣＰＵ７は、スイッチバッファを常時チェックし、スイッチバッファにスイッチ番号が格納されると、そのスイッチ番号に対応するスイッチに応じた処理を行う（ブロックＢ６）。具体的には、たとえば、ギター音色選択スイッチ２ｃ（スイッチ番号を“３”とする）が操作されると、検出回路５は、スイッチバッファに“３”を格納する。ＣＰＵ７は、スイッチバッファに“３”が格納されたことを検出すると、現在、電子楽器に設定されている音色がギター音色でなく、その設定音色をギター音色に変更してもよい状況であれば、設定音色をギター音色に変更する指示を音源回路１５に行うとともに、前記図２（ａ）に示したように、音色選択スイッチ２ｃの近傍のＬＥＤ１１ｃを点灯させる。この後、演奏者が演奏操作子１を用いて演奏を行うと、サウンドシステム１７からは、ギター音色の楽音が発生される（ブロックＢ７）。なお、設定操作子２には、動作モードを切り替えるモード切替スイッチ（図示せず）も含まれ、モード切替スイッチが操作されると、ＣＰＵ７は、電子楽器の動作モード（前記通知モードを含む）を切り替える。
【００３７】
ユーザが、各音色選択スイッチ２ａ〜２ｅに関する情報を得ようとする場合、情報を得ようとする音色選択スイッチが決まれば、ユーザの得たい情報が一意的に決まるとは言えない。これは、１つの音色選択スイッチに対して、複数の情報が対応付けられるからである。複数の情報とは、具体的には、音色選択スイッチに割り当てられた機能と、音色選択スイッチの動作状態である。そして、ユーザにより、機能を知りたいのか、動作状態を知りたいのか、機能と動作状態の両方を知りたいのか、が分かれる。したがって、本実施の形態では、機能通知モード、状態通知モードおよび機能＆状態通知モードの３種類の通知モードを設け、ユーザがいずれかの通知モードを選択できるようにしている。前記（１）の情報の種類とは、各音色選択スイッチ２ａ〜２ｅから、ユーザが得たい情報の種類を言い、ユーザは予め、上記３種類の通知モードからいずれかを選択する。
【００３８】
前記（２）の言語とは、ガイド音声を発音するときの言語を言い、本実施の形態では、複数の言語（たとえば、英語と日本語）にそれぞれ対応したガイド音声が用意されている。言語も、上記（１）の情報の種類と同様に、各言語に応じた言語モードを設け、ユーザがそのいずれかを選択できるように構成してもよいが、そのように構成した場合、ユーザが選択するモードが多くなり過ぎるので、本実施の形態では、ＲＦタグ２１に記憶されたユーザＩＤから、１つの言語を一意的に選択するようにしている。つまり、ユーザＩＤから、そのユーザの国籍が分かるようにしておき（ユーザＩＤと国籍とを予め対応付けておき）、その国で通用している言語が一意的に選択される。あるいは、国籍とは無関係に、ユーザＩＤと言語とを予め対応付けておいてもよい。
【００３９】
前記（３）の音質とは、ガイド音声を発生するときの声質を言い、本実施の形態では、男性の声質と女性の声質のいずれかを選択できるようにしている。この選択も、上記（２）の言語の選択と同様の理由から、ＲＦタグ２１に記憶されたユーザＩＤに基づいて、一意的に行われる。たとえば、ユーザＩＤから、そのユーザの性別が分かるようにしておき（ユーザＩＤと性別とを予め対応付けておき）、ユーザの性別と反対の（あるいは、同じ）性別の声質が一意的に選択される。あるいは、性別とは無関係に、ユーザＩＤと音質とを予め対応付けておいてもよい。
【００４０】
前記（４）の表現とは、ガイド音声の表現態様を言い、本実施の形態では、通知内容の詳細さを選択できるようにしている。この選択も、上記（２）の言語の選択と同様の理由から、ＲＦタグ２１に記憶されたユーザＩＤに基づいて、一意的に行われる。たとえば、ユーザＩＤから、そのユーザの年齢や楽器の経験年数が分かるようにしておき（ユーザＩＤと年齢、経験年数とを予め対応付けておき）、その年齢や経験年数に応じて、通知内容の詳細さが一意的に選択される。あるいは、年齢や経験年数とは無関係に、ユーザＩＤと通知内容とを予め対応付けておいてもよい。
【００４１】
このように、本実施の形態では、ユーザが予め選択する項目は、上記（１）の情報の種類だけであり、他の項目（２）〜（４）は、ユーザＩＤから一意的に選択される。そして、この（１）〜（４）の４種類の項目の各内容が決まり、目的の（音声ガイドの対象とする）音色選択スイッチおよび該音色選択スイッチに対する現在の設定状態が決まると、ガイド音声は、一意的に決まるようになっている。つまり、前記外部記憶装置１２上に構築された音声ガイドデータベースは、（１）〜（４）の各項目の内容が決まり、目的の音色選択スイッチおよび該音色選択スイッチに対する現在の設定状態が決まると、１つの音声ガイドデータが検索されるように構成されている。逆に言えば、音声ガイドデータベースは、（１）〜（４）の各項目にそれぞれ選択可能な内容の種類数と、音色選択スイッチの個数と、各音色選択スイッチに対する設定状態の数をすべて乗算して得られる数の音声ガイドデータによって構成されている。本実施の形態では、（１）の項目について３種類、（２）の項目について２種類、（３）の項目について２種類、（４）の項目について２種類の選択肢があり、さらに、音色選択スイッチが５種類あり、各音色選択スイッチに対する設定状態が２種類あるので、音声ガイドデータベースは、少なくとも、３×２×２×２×５×２（＝２４０）個の音声ガイドデータを有している。
【００４２】
ＣＰＵ７は、ＩＤ格納領域に格納されたユーザＩＤおよびアンテナ番号のうち、ユーザＩＤから、そのユーザの固有情報、具体的には、国籍、性別および年齢などや、上記（２）〜（４）の各項目の対応関係を特定し、アンテナ番号から、ユーザがＲＦタグ２１を近づけた音色選択スイッチを特定し、さらに、その音色選択スイッチの現在の状態を特定する（ブロックＢ３）。
【００４３】
そして、ＣＰＵ７は、特定されたユーザの固有情報と、現在設定されている通知モードとに基づいて、前記（１）〜（４）の各項目の内容を選択し、音声ガイドデータベースから、選択された各項目の内容、音色選択スイッチおよびその状態に対応するガイド音声データを検索し、前記音源回路１５またはオーディオデコーダ回路およびサウンドシステム１７を介して、このガイド音声データに対応するガイド音声を発生させる（ブロックＢ４）。
【００４４】
たとえば、日本国籍の男性で、楽器の経験年数の長いユーザが、（ａ）「機能通知モード」、（ｂ）「状態通知モード」または（ｃ）「機能＆状態通知モード」のいずれかを選択した状態で、ギター音色選択スイッチ２ｃに指アタッチメント２０を近づけた場合には、ガイド音声データベースから、女性の声質の
（ａ）「ギター音色選択スイッチです」
（ｂ）「現在ギター音色が選択されています」
（ｃ）「ギター音色選択スイッチです。現在ギター音色が選択されています」
のいずれかのメッセージ（音声ガイドデータ）が検索され、サウンドシステム１７から発生される。
【００４５】
一方、同じユーザが、（ａ）「機能通知モード」、（ｂ）「状態通知モード」または（ｃ）「機能＆状態通知モード」のいずれかを選択した状態で、ピアノ音色選択スイッチ２ａに指アタッチメント２０を近づけた場合には、ガイド音声データベースから、女性の声質の
（ａ）「ピアノ音色選択スイッチです」
（ｂ）「現在ピアノ音色は選択されていません」
（ｃ）「ピアノ音色選択スイッチです。現在ピアノ音色は選択されていません」
のいずれかのメッセージが検索され、サウンドシステム１７から発生される。
【００４６】
また、日本国籍の女性で、楽器の初心者のユーザが、「機能通知モード」を選択した状態で、ギター音色選択スイッチ２ｃに指アタッチメント２０を近づけた場合、前記ガイド音声データベースから、男性の声質の「このスイッチを押すと鍵盤の音がギターの音になります」というメッセージが検索され、サウンドシステム１７から発生される。
【００４７】
なお、前記（１）〜（４）の項目の選択は、すべてユーザＩＤによって行うようにしてもよいし、あるいは、すべてモードによって行うようにしてもよい。また、一部の項目（２項目以上）の選択は、ユーザＩＤによって行い、残りの項目の選択は、モードによって行うようにしてもよい。さらに、項目の個数や内容も、上述した個数や内容に限られない。
【００４８】
また、本実施の形態では、音声ガイドデータは、音声ガイドデータベースに予め登録したものの中から検索して読み出したものを使用するようにしたが、前記（１）〜（４）の各項目に選択された内容、目的の音色選択スイッチおよびその状態に応じて、ＣＰＵ７が作成したものを使用するようにしてもよい。
【００４９】
このように、本実施の形態では、ユーザは、操作子を操作する部位（たとえば、指）を操作子に近づけるだけで、その操作子に関する機能や状態を音声で確認することができるので、視覚障害のあるユーザであっても、事前に操作子に関する機能や状態を把握することができる。そして、操作子を確認するときに、ユーザは操作子を実際に操作していないので、望まない電子楽器の状態変化も起こらない。
【００５０】
また、ＲＦタグ内のユーザＩＤを識別し、ユーザＩＤ毎に異なる態様の音声でガイドを行うようにしたので、ユーザ毎に音質、言語および通知内容を変えることができる。さらに、複数のモードを備え、モードに応じて異なる態様の音声でガイドを行うようにしたので、ユーザ毎に音質、言語および通知内容を変えることができる。
【００５１】
また、１つのＲＦＩＤリーダで、ＲＦＩＤアンテナ群を構成する複数のアンテナを時分割で走査することにより、各操作子に対応する位置でＲＦタグを検出するようにしたので、１つのＲＦＩＤリーダで、複数の操作子のそれぞれに対応した位置でのＲＦタグを検出することができ、これにより、装置の構成を簡略化することができる。
【００５２】
図４は、本実施の形態の電子楽器の一部構成を変形した変形例１が実行する制御処理を説明するためのブロック図である。
【００５３】
本変形例１は、上記実施の形態の電子楽器に対して、ＲＦＩＤアンテナ群３を構成するアンテナの個数だけ、ＲＦＩＤリーダ（ブロックＢ１１）を設けた点が異なっている。このように構成すれば、ＲＦＩＤリーダは、各アンテナを時分割で走査する必要がなくなり、ＲＦＩＤリーダの制御処理を簡単化できる。ただし、ＲＦＩＤリーダをアンテナの個数だけ設ける必要があるので、製造コストが増大する。
【００５４】
なお、各ＲＦＩＤリーダがユーザＩＤを取得した後の処理は、上記実施の形態と同様であるので、その説明は省略する。
【００５５】
図５は、本実施の形態の電子楽器の一部構成を変形した変形例２の音色選択スイッチ周辺の様子を示す図である。
【００５６】
図５（ｂ）に示すように、本変形例２は、上記実施の形態の電子楽器に対して、指アタッチメント２０側にＲＦＩＤアンテナ３′を設け、音色選択スイッチ２ａ〜２ｅのそれぞれの内部に、ＲＦタグ２１ａ〜２１ｅを設けた点が異なっている。各ＲＦタグ２１ａ〜２１ｅには、対応する音色選択スイッチを示すＩＤが記憶されている。
【００５７】
図６は、本変形例２が実行する制御処理を説明するためのブロック図である。
【００５８】
同図に示すように、ＲＦＩＤリーダ６′は、ユーザが指アタッチメント２０を近づけた音色選択スイッチのＲＦタグ内に書き込まれたＩＤを取得する（ブロックＢ２）。このとき取得したＩＤは、上述のように、音色選択スイッチを示し、前記実施の形態のように、ユーザＩＤを示さないので、ＣＰＵ７は、ユーザＩＤに基づいて、前記（１）〜（４）の各項目の内容を選択することはできない。つまり、前記実施の形態と同様に、（１）〜（４）の各項目の内容を選択しようとすると、各項目毎に複数のモードを設け、ユーザに予め選択してもらうようにする必要がある。このようにすれば、前記実施の形態と同様に、音声ガイドを行うことができる。
【００５９】
このように、本変形例２でも、ユーザは、操作子を操作する部位（たとえば、指）を操作子に近づけるだけで、その操作子に関する機能や状態を音声で確認することができるので、視覚障害のあるユーザであっても、事前に操作子に関する機能や状態を把握することができる。そして、操作子を確認するときに、ユーザは操作子を実際に操作していないので、望まない電子楽器の状態変化も起こらない。
【００６０】
また、複数のモードを備え、モードに応じて異なる態様の音声でガイドを行うようにしたので、ユーザ毎に音質、言語および通知内容を変えることができる。
【００６１】
なお、本実施の形態およびその変形例では、本発明を電子楽器に適用したが、多数の操作子を有する、あるいは、操作子に対する状態が変化するような電子機器であれば、どのような機器にも本発明を適用することができる。そして、操作子に固定的または可変的に割り当てる機能の種類や操作子の状態の種類は、どのようなものでもよい。
【００６２】
また、操作子の形態（形状）も、スイッチに限らず、回転操作子（ロータリーエンコーダ、ロータリーボリューム：電子楽器では、回転ノブやピッチベンドホイール等）、スライド操作子（スライドエンコーダ、スライドボリューム：電子楽器では、音量スライダ等）、演奏操作子（鍵盤やドラムパッド等）などでもよい。
【００６３】
また、音声ガイドの内容は、例示したものに限られない。ユーザＩＤ毎（ユーザ毎）に変える音声の種類は、音質、言語および通知内容の３種類をすべて備える必要はなく、１つ以上備えていればよい。また、これら以外の種類でもよい。通知モードについても、機能のみ、状態のみ、機能＋状態の３種類を備えるものに限らない。また、音声をスピーカから出力してもよいし、ヘッドフォンに出力してもよい。ヘッドフォンに出力すると、他人にその内容が聞かれないため、都合がよい。また、ガイド音声のみをヘッドフォンから出力し、電子機器が通常発する音（電子楽器では、演奏音）はスピーカから出力してもよい。
【００６４】
ＲＦＩＤの方式は、電磁誘導方式やマイクロ波方式等、どのようなものでもよい。ただし、操作子を特定する必要があることから、近傍の操作子に対応したＲＦＩＤとは干渉しないよう、近距離でのみ通信でき、指向性の高い方式が望ましい。
【００６５】
さらに、操作部位は、指に限らず、足や腕全体などが考えられる。操作部位に応じて、アタッチメントの態様が異なることは言うまでもない。その例としては、持つタイプや手袋状のものなどが挙げられる。
【００６６】
なお、上述した実施の形態およびその変形例の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００６７】
この場合、記憶媒体から読出されたプログラムコード自体が本発明の新規な機能を実現することになり、そのプログラムコードおよび該プログラムコードを記憶した記憶媒体は本発明を構成することになる。
【００６８】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００６９】
また、コンピュータが読出したプログラムコードを実行することにより、上述した実施の形態およびその変形例の機能が実現されるだけでなく、そのプログラムコードの指示に基づき、コンピュータ上で稼働しているＯＳなどが実際の処理の一部または全部を行い、その処理によって上述した実施の形態およびその変形例の機能が実現される場合も含まれることは言うまでもない。
【００７０】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施の形態およびその変形例の機能が実現される場合も含まれることは言うまでもない。
【図面の簡単な説明】
【００７１】
【図１】本発明の一実施の形態に係る電子機器を適用した電子楽器の概略構成を示すブロック図である。
【図２】図１中の設定操作子に含まれる音色選択スイッチ周辺の様子を示す図である。
【図３】図１の電子楽器が実行する制御処理を説明するためのブロック図である。
【図４】図１の電子楽器の一部構成を変形した変形例１が実行する制御処理を説明するためのブロック図である。
【図５】図１の電子楽器の一部構成を変形した変形例２の音色選択スイッチ周辺の様子を示す図である。
【図６】変形例２が実行する制御処理を説明するためのブロック図である。
【符号の説明】
【００７２】
２…設定操作子（選択手段），２ａ〜２ｅ…音色選択スイッチ（操作子），３…ＲＦＩＤアンテナ群（ＲＦＩＤリーダ用アンテナ、ＲＦＩＤ読み取り手段），６…ＲＦＩＤリーダ（ＲＦＩＤ読み取り手段），７…ＣＰＵ（通知手段、選択手段），音源回路１５（通知手段），１７…サウンドシステム（通知手段）
【図１】
2007256503.tif 000003
【図２】
2007256503.tif 000004
【図３】
2007256503.tif 000005
【図４】
2007256503.tif 000006
【図５】
2007256503.tif 000007
【図６】
2007256503.tif 000008